(57)【特許請求の範囲】
【請求項１】
試料を検査するために光を伝達する方法であって、
入射してくる光源からの光を、第１折り返しミラーによって折り返し、第１の光として射出し、
前記第１折り返しミラーからの第１の光を、マンジャンミラーから離れたレンズが設けられていない第１経路を介してマンジャンミラーに向け、
前記第１の光がマンジャンミラーで反射されて得られた第２の光を、前記マンジャンミラーから離れたレンズが設けられていない第２経路を介し、前記第１折り返しミラーに近接する第２折り返しミラーに向け、
前記第２折り返しミラーにおいて前記第２の光を折り返し、折り返された第２の光を試料に向け、
前記第１折り返しミラーから射出され前記マンジャンミラーへ入射する第１の光の光学軸と、前記マンジャンミラーから射出され前記第２折り返しミラーに入射される前記第２の光の光学軸がずれている、
方法。
【請求項２】
請求項１に記載の方法において、
光源からの光を、第１レンズ部、フィールドレンズ部を介し、前記第１折り返しミラーに向けるステップを含む方法。
【請求項３】
試料を検査するために光を伝達する方法であって、
入射してくる試料で反射された光を、第２折り返しミラーによって折り返し、第２の光として得、
前記第２折り返しミラーからの第２の光を、マンジャンミラーから離れたレンズが設けられていない第２経路を介してマンジャンミラーに向け、
前記第２の光がマンジャンミラーで反射されて得られた第１の光を、前記マンジャンミラーから離れたレンズが設けられていない第１経路を介し、前記第２折り返しミラーに近接する第１折り返しミラーに向け、
前記第１折り返しミラーにおいて前記第１の光を折り返し、
前記第２折り返しミラーを介し得られ前記マンジャンミラーへ入射する第２の光の光学軸と、前記マンジャンミラーを介し得られ前記第１折り返しミラーに入射される前記第１の光の光学軸がずれており、
前記第１折り返しミラーを介し得られる光をイメージ形成光学系を介し検出器に向ける、
方法。
【請求項４】
請求項１に記載の方法において、
前記第２折り返しミラーで折り返された第２の光を集光し、前記試料に向ける最終集光レンズを有し、
前記試料と前記最終集光レンズのとの距離である作用距離を少なくとも６ｍｍとする方法。
【請求項５】
請求項３に記載の方法において、
前記第１折り返しミラーから射出される光をフーリエフィルタリングするステップをさらに含む方法。
【請求項６】
請求項１に記載の方法において、
前記方法は、複数のレンズを用い、この複数のレンズは単一の材料から構成されている方法。
【請求項７】
試料を検査するために、光源から試料に向かう光線または試料から検出器に向かう光線を通過させる対物光学系であって、
入射してくる光源からの光線または試料からの光線を折り返し、所定の方向の光線を射出する第１折り返しミラーと、
前記第１折り返しミラーからの光線が入射される、屈折レンズと反射性背面を有するマンジャンミラーと、
前記マンジャンミラーから光線を折り返し、所定方向の光線を射出し、前記検出器又は前記試料に向かわせる第２折り返しミラーと、
を有し、
前記第１折り返しミラーからの第１の光を、前記マンジャンミラーから離れたレンズが設けられていない第１経路を介して前記マンジャンミラーに向け、
このマンジャンミラーで反射される第２の光を、前記マンジャンミラーから離れたレンズが設けられていない第２経路を介し、前記第１折り返しミラーに近接する第２折り返しミラーに向け、
前記第２の光の光軸は、前記第１の光の光軸からずれるとともに近接する、
対物光学系。
【請求項８】
請求項７に記載の対物光学系であって、
さらに、
第１フォーカスレンズ部と、
第１フィールドレンズ部と、
第２フィールドレンズ部と、
第２フォーカスレンズ部と、
を含み、
前記入射してくる光線は、第１フォーカスレンズ部、第１フィールドレンズ部を介し、前記第１折り返しミラーに入射し、
前記第２折り返しミラーから射出する光線は、第２フィールドレンズ部、第２フォーカスレンズ部を介し射出される、
対物光学系。
【請求項９】
請求項８に記載の対物光学系であって、
前記第１フォーカスレンズ部は、少なくとも１つのレンズを含み、前記第１フィールドレンズ部は少なくとも１つのレンズを含み、前記第２フィールドレンズ部は少なくとも１つのレンズを含み、前記第２フォーカスレンズ部は少なくとも１つのレンズを含み、この対物光学系内のすべてのレンズは単一の材料を用いて構成されている対物光学系。
【請求項１０】
請求項９に記載の対物光学系において、
前記単一の材料は、ガラス材料であって、融解シリカおよびフッ化カルシウムからなるグループから選ばれた１つを含む対物光学系。
【請求項１１】
請求項７に記載の対物光学系において、
前記対物光学系は、０．７を越える開口数を提供する対物光学系。
【請求項１２】
請求項７に記載の対物光学系において、
前記対物光学系は、内部ビームスプリッターを利用しない対物光学系。
【請求項１３】
請求項７に記載の対物光学系において、
前記入射してくる光線は、エキシマレーザ、バンドパスフィルタを備えたランプ、周波数変換レーザ、重水素レーザの中の１つによって発生される対物光学系。
【請求項１４】
請求項７〜１３のいずれか１つに記載の対物光学系を用い、試料を検査する、試料検査装置。
【発明の詳細な説明】
【技術分野】
【０００１】
この発明は、一般的に光学イメージングの分野に関し、特に明視野および暗視やイメージングに適用されるカタディオプトリック光学システムに関する。
【背景技術】
【０００２】
この出願は、１９９６年７月２２に出願の米国出願０８／６８１，５２８「ブロードスペクトル紫外線カタディオプトリックイメージングシステム」の一部継続出願であり継続中の１９９７年８月７日出願の米国出願０８／９０８，２４７「広範囲ズーム可能なウルトラブロードバンドＵＶマイクロスコープイメージングシステム」の一部継続出願である１９９８年３月２４日出願の米国出願０９／９０８，８１４「マルチモードイメージングのための高ＮＡシステムの一部継続出願である。
【０００３】
（関連技術の記載）
部分的に形成された集積回路またはフォトマスクなどの欠陥を見つけるために目的物の表面を検査する多くの光学的電子的システムが存在する。欠陥は、回路やフォトマスクの表面上にランダムに位置する粒子の形態や、スクラッチ（ひっかき傷）、プロセスバリエーションなどの形をとる。種々のイメージング技術が、このような欠陥の表面検査を行うために用いられており、各技術が欠陥のタイプに従って、異なった利点を有する。
【０００４】
欠陥の検出について２つのよく知られたイメージング技術は、明視野イメージングと暗視野イメージングである。明視野イメージングは、顕微鏡システムにおいてよく利用される。明視野イメージングの利点は、生成されたイメージがすぐに識別できることである。イメージのサイズは、目的物のサイズに光学システムの倍率を乗算したサイズに正確になる。明視野イメージングは、イメージ比較およびコンピュータを利用した対象物比較のためのアルゴリズムプロセス、欠陥検出および分類とともにより容易に利用できる。
【０００５】
暗視野イメージングは、目的物の表面における不規則性の検出に成功裡に用いられている。暗視野イメージングの利点は、平坦な鏡のような領域は、非常に少ない光を検出器に向けて散乱し、暗いイメージを生じることである。どのような表面の特徴や、対象からの突出物は、光を検出器に向けて散乱する。これによって、半導体ウエハのような対象の検査においては、暗視野イメージングは、暗い背景上に、特徴（造作）、粒子、その他の不規則性のイメージを生成する。
【０００６】
暗視野イメージングの１つの利点は、これによって、光を散乱する小さな形状により大きな信号が得られることである。この大きな信号は、暗視野イメージングによりより小さな対象の形状を検出でき、明視野イメージングより高速の対象の検査が行えることである。他の利点は、フーリエフィルタリングが繰り返しパターン信号の最小化のために用いることができ、欠陥信号に対する雑音の比（ＳＮ比）を改善できることである。
【０００７】
多くの暗視野イメージング技術は、異なるタイプの欠陥の検出を向上するために開発されている。これらの技術は、特定の照明機構や収集機構を、対象によって散乱されたり分散された光が最高の信号を提供するよう構成する。いくつかの光学システムは、異なる暗視野イメージング技術であって、レーザ方向性暗視野、二重暗視野、中央暗背景、およびリング暗視野を含む。
【０００８】
明視野または暗視野イメージングのいずれを採用したときであって、３００ｎｍ〜４００ｎｍの紫外レンジや、２００〜３００ｎｍの深紫外線レンジ（ディープＵＶまたはＤＵＶ）、または１００〜２００ｎｍ（真空ＵＶまたはＶＵＶ）の短波長照明を利用することが好ましい場合が多い。明視野イメージングにおいて、短波長照明は、より小さな対象の形状の検出がを可能とする解像度の向上が得られる。暗視野イメージングために、短波長照明照明により、散乱信号を大きく増加させ、より小さな対象の検出を可能として検査スピードを上昇し、また照明電力における要求を減少させることができる。さらに、明視野および暗視野イメージングは、短波長において材料の吸収および反射における変化の利益を得る。この異なる材料の短波長における吸収および反射の変化は、これら異なる材料の同定を助けることができる。また、多くの材料は、大きく増加する吸収をＤＵＶおよびＶＵＶの波長に有している。増加した吸収は、下方層の反射干渉を最小化することによって、半導体ウエハの検査などの上表面の光学的検査を改良を助ける。
【０００９】
明視野および暗視野イメージングをサポートする光学システムは、ある限定されたスペクトルの帯域幅または波長レンジにわたる修正を必要とする。異なる波長は、分散分光（dispersion）として知られている異なるガラスインデックスを有するため、修正は必要である。従来のデザインでは、通常２つまたは３つのガラスタイプを用い、分散・分光の影響を補償する。これらの分散分光の影響についての補償は、カラーコレクション（色修正）と呼ばれる。ＵＶ、ＤＵＶ、ＶＵＶ波長レンジにおいて、カラーコレクション、より難しい。短波長において、ガラスの分散分光は非常に大きくなり、また修正することが難しい。さらに、短波長においては、非常に少ないガラス材料が修正に使用できる。
【００１０】
３６５ｎｍより短い波長において、非常に少ないガラス材料が高い透過性を有する。これら材料は、典型的に、シリカ、ＣａＦ２、ＭｇＦ２、ＬｉＦ２が含まれる。これら材料について、ハイエンドの光学システムにおいてに使用にはシリカが最も望ましい。シリカは、硬いガラスで低い熱膨張で、複屈折がなく、高いＵＶダメージしきい値（耐ＵＶ性）を有し、湿度の影響を受けにくい。ＣａＦ２、ＭｇＦ２およびＬｉＦ２は、ヤン室ガラスであり、磨く（ポリッシュ）が難しく、高い熱膨張、いくらかの複屈折を有し、かつ湿度の影響を受けやすい。これらフッ素系ガラスでは、ＣａＦ２が光学ガラスとしての使用に最も望ましい。
【００１１】
ＵＶ、ＤＵＶ、ＶＵＶ光学システムにおいて、使用するガラス材料の数を減少することは、色収差（color aberration）を修正するためには特別なチャレンジを必要とする。これは、特にシリカおよびＣａＦ２が非常に大きな分散分光を生じるＶＵＶ波長レンジでの場合に正しい。非常に短い波長において、狭スペクトル帯域幅であっても、数多くの色収差の修正が必要となる。いくつかの重要な色収差は、第１および第２軸カラー、第１および第２横方向（ラテラル）から０、球面収差の色変化（クロマティックバリエーション）、コマの色変化（クロマティックバリエーション）を修正することを含む。
【００１２】
例えば、１５７ｎｍの波長において、ＣａＦ２が、高い透過性を有し、複屈折、水溶解、機械的な柔らかさについて大きな問題がない唯一の適性を有するガラス材料である。カラー修正のスタンダードは不可能である。なぜなら他のガラス材料が使用できないからである。
【００１３】
現在利用できるシステムの他の問題は、このようなシステムが比較的短い間隔を光学システムと検査される表面の間に比較的短い間隔（ワーキングディスタンス）を有することである。フォトマスクの検査は、ワーキングディスタンスとして、イメージングシステムは、約６ｍｍより大きいことが要求される。フォトマスク上に保護用の半透過フィルム（protectve pellicle）が存在するからである。長いワーキングディスタンスは、レーザ暗視野検査環境において望まれる。長いワーキングディスタンスを有するイメージングシステムは、対象の外側から表面を検査する照明を直接行うことを可能とする。典型的な環境下において、ワーキングディスタンスは、一般的に望まれる特性を有するためには４ｍｍより大きい。なお、ワーキングディスタンスは、８ｍｍより大きいことが好ましい。
【００１４】
さらに、高開口数（ＮＡ：numerical aperture）により、高解像度のイメージングおよび大きな立体角の集光（コレクト）が可能となる。開口数０．８を達成することが望まれる。これは、垂直方向から５３度の表面についての集光角に対応する。
【００１５】
現在利用できるシステムにおけるさらなる問題は、相対的に高いＮＡシステムが存在するが、中心戻り光線は、開口数および他の光学的成分により暗くなる。このような中心が暗いと、イメージからの低周波数情報がとれず、望ましくない。
【００１６】
また、現在利用できるシステムでは、内部瞳平面を含んでいる。この内部瞳平面を含むのは好ましくない。なぜなら、このシステムはアパーチャリング（開口）をすぐにサポートできないからである。特に、開口の形状の変化およびフーリエフィルタリングをサポートできない。
【００１７】
最後に、現状のシステムは、フィールド（視野）サイズに限界がある。大きなフィールド（視野）サイズは、エリアイメージングにおいて重要なときがよくある。また、大きなフィールドサイズは、半導体ウエハやフォトマスクなどのための高速の検査を可能とする。フィールドサイズは、典型的には、収差のラテラルカラーおよびクロマティックバリエーション等によって限定される。収差修正は、色（クロマティック）修正、大きなスペクトル帯域幅、高開口数（ＮＡ）、長いワーキングディスタンス（作業距離）、中心の暗さがないこと、および外部瞳平面を組み合わせられるとき特に困難である。
【先行技術文献】
【特許文献】
【００１８】
【特許文献１】米国特許第５，７１７，５１８号明細書
【特許文献２】米国特許第５，０５２，７６３号明細書
【特許文献３】欧州特許出願公開第０７３６７８９号明細書
【００１９】
２つの先行特許に、このタイプのイメージングをサポートする高開口数カタディオプトリックシステムが示されている。これらの特許は、シャファー他（Shafer el. al.）の米国特許第５，７１７，５１８号、およびチャン他（Chuang et.al.）の米国特許出願０９／０４６，８１４号であり、両者ともＫＬＡ・テンコー（ＫＬＡ−Ｔｅｎｃｏｒ）コーポレーションに譲渡されており、全体が本出願に参考として取り得られる。
【００２０】
米国特許５，７１７，５１８号には、高ＮＡ、ウルトラブロードバンドＵＶイメージングに用いられる装置が記載されている。この’５１８特許は、ブロードバンド明視野および多波長暗視野イメージングのための０．９ＮＡシステムを提供する。この’５１８システムは、単一のガラス材料を用いた高度のクロマティック修正を有する。さらに、修正は、２つのガラス材料を用いることも可能である。この’５１８システムは、無色のフィールド（色消し：achromatized field）レンズグループを用いて２次およびより高次のラテラルカラーを修正する。このデザインは、限定されたワーキングディスタンス、中心が暗いこと、内部瞳、および相対的に厳しい製造公差といういくつかの限定がある。この手法におけるレーザ暗視野照明のための最初の方法は、レーザを球形ミラー素子の穴または開口（アパーチャー）を介し直接照射していた。このタイプの照明は、装置化するのが非常に複雑である。
【００２１】
米国特許出願０９／０４６，８１４には、ウルトラ高ＮＡ、狭帯域ＵＶイメージングおよび多レーザ暗視野イメージング技術を組み合わせて単一の光学システムに取り込んだ装置が示されている。このデザインは、単一波長であり、開口数０．９９までで動作する。この’８１４出願は、レーザ暗視野検査において理想的に利用される。しかし、いくつかの限定がある。すなわち、比較的狭いワークディスタンス、中心が暗い、狭い帯域幅、および相対的に小さい製造公差を有している。
【００２２】
他のカタディオプトリックシステムが半導体リソグラフィーにおける利用のために開発されている。これらのシステムは、レジストがコートされたウエハ上に減少された倍率でフォトマスクをイメージングするためにデザインされている。２つの先行特許には、高開口数カタディオプトリックシステムであって、このイメージングをサポートするものが記載されている。特に、シン他（Singh et; al.）の米国特許５，０５２，７６３およびタカハシのヨーロッパ特許公開ＥＰ０７３６７８９−Ａ２に示されている。
【００２３】
’７６３特許には、カタディオプトリックシステムであって、高開口数イメージングに利用するものが示されている。この光学システムは、実質的に平坦なイメージフィールドを半導体リソグラフィーで要求される広いエリアわたって形成するようにデザインされている。このデザインは、入力光学システムにカーブしたフィールドを有するもの、カタディオプトリックリレーシステム、およびフィールドの曲率およびいくつかのものクロマティック収差をを修正する出力光学システム、を利用する。’７６３のデザインの限定は、限定されたワーキングディスタンスを有すること、内部瞳、狭帯域、内部ビームスプリッタ、およびきつい製造公差である。
【００２４】
タカハシのヨーロッパ公開は、カタディオプトリックシステムであって高開口数のものである。この光学システムは、ウエハまで長距離とするために必要とされるカタディオプトリックミラー要素の直径を減少するようにデザインされている。タカハシのデザインは、内部瞳、多ガラス材料を用いる狭い帯域幅、およびきつい製造公差を有している。
【００２５】
従って、明視野および暗視野表面検査を行うシステムであって、イメージ収差、イメージ収差のクロマティックバリエーション、広いスペクトルレンジに渡っての残留（二次およびさらに高次）横方向カラーイメージ収差を含む長手方向（軸方向）色および横方向色収差を修正する対物系を有するものを提供する。このようなシステムは、相対的に安価で、通常の環境で容易に運転できるべきである。また、これらシステムは、相対的に長いワーキングディスタンス、大きなフィールドサイズ、緩い製造公差を提供すべきである。このようなシステムは、ＵＶ、ＤＵＶまたはＶＵＶ波長、で動作し、高い開口数を有し、中心が暗くなく、アクセス可能な瞳平面を有するべきである。
【発明の概要】
【発明が解決しようとする課題】
【００２６】
本発明は、ブロードバンド明視野およびレーザ暗視野イメージングおよび検査の両方を好適にサポートするシステムを提供することを目的とする。
【００２７】
また、本発明は、最小の数のガラスタイプ（単一ガラスタイプでもよい）を用いて高度の色修正（クロマティックコレクション）を行えるシステムを提供することを他の目的とする。
【００２８】
さらに、本発明は、光学システムと検査表面の間の比較的長いワーキングディスタンス、高開口数を有し、中心が暗くないシステムを提供することを目的とする。
【００２９】
さらに、本発明は、アパーチャリングおよびフーリエフィルタリングをサポートする外部瞳平面を有するシステムを提供することを目的とする。
【００３０】
さらに、この発明は、相対的に緩い公差を有し、製造が比較的安く行えるシステムを提供することを目的とする。
【００３１】
このような本発明の目的および他の目的は、カタディオプトリックシステムの個別の構成要素を光線と正確に予め決定されたマナー（方式）で、作用するように正しく構築することによって達成される。本発明は、カタディオプトリックシステム方法および装置であって、光学イメージングおよび検査のためのものである。ここに記載されるデザインアプローチは、基本的に３６５ｎｍ以下の波長における明視野および暗視野イメージングおよび検査に適している。多くの例において、このシステムにおいて利用するレンズは、フッ化カルシウムまたは融解シリカのような単一材料を用いて構成または製造される。
【課題を解決するための手段】
【００３２】
第１の態様では、本カタディオプトリックシステムは、フォトマスク検査のための装置である。この態様においては、照射照明光学系または反射照明光学系のような光学要素と、長い距離のカタディオプトリックイメージング対物系、イメージ形成光学系および検出器から構成される。
【００３３】
第２の態様では、この光学システムは、レーザ暗視野検査のための装置である。この装置は、レーザ照明要素などの照明光学系、長いワーキングディスタンスのカタディオプトリックイメージング対物系、外部瞳平面におけるフーリエフィルタまたはアパーチャイ、メージ形成光学系および検出器から構成される。いくつかの使いの態様の光学装置は、以下の詳細な説明で記載する。２つの基本的なカタディオプトリック対物系デザインアプローチは、これらの実施例で採用されている。２つのアプローチは、収差修正のためのマルチ内部イメージの利点を有し、また中心が暗いくないデザインが得られるという利点がある。第１のデザインアプローチでは、折り返し可能な反射レンズミラー要素が用いられる。例えば、光学軸が主反射要素の光学軸に対しある角度を有する。第２のデザインアプローチでは、反射レンズミラー要素は、光学軸が主反射要素の光学軸に対しほぼ一致した角度を有する。いずれのデザインアプローチにおいても、スペクトル帯域幅１９３ｎｍで単一のガラス材料を用いた場合に、少なくとも１ｎｍを修正できる。このデザインは、また１５７ｎｍのスペクトル帯域幅の０．５ｎｍを修正できる。さらに、第２ガラス材料の追加は、スペクトル帯域幅を増大させる。例えば、１９３ｎｍにおいて、スペクトル帯域幅は、シリカおよびＣａＦ２ガラスを用いることにより１０ｎｍ以上増加できる。
【００３４】
第２のデザインアプローチは、マンジャンミラーの光学軸が屈折成分の光学軸と一致またはほぼ一致する。このデザインは、比較的緩い製造公差を提供し、デザインの柔軟性を増加させる。
【００３５】
イメージ形成光学系は、第１および第２の態様において、非常に重要である。２つの取りうるデザインオプションが、イメージ形成光学系として利用できる。これら２つのオプションは、デュアルモーション（二重動作）のヴァリフォーカル（可変焦点）ズームと、シングルモーション光学的補償ズームである。両ズームオプションは、第１および第２の態様において便利な倍率のレンジを提供する。これらのズームオプションは、ここに述べるカタディオプトリック対物アプローチと組み合わせることにより高品質のイメージ提供できる。
【発明の効果】
【００３６】
本発明により、いくつかの追加の利点が得られる。第１に、このデザインは、角レンズに単一のガラスタイプを使用して構成することができる。従って、イメージシステムの製造をブロードバンドＵＶ、ＤＵＶ、ＶＵＶへの適用のために単一の最高の屈折物質を利用して行える。
【００３７】
本発明の他の大きな利点は、第１、第２および高次のフォーカスにおける色変化および第１、第２および高次のラテラル色修正を修正する能力を含むこと、さらに球面、コマ、非点収差のような収差のクロマティックバリエーションを修正を行えることである。
【００３８】
さらに、本発明によれば、広帯域、長いワーキングディスタンス、高開口数、および大きいフラットフィールドにより卓越した動作が得られることである。
【００３９】
ここにおいては、本発明の重要な特徴について広く説明した。これは、以下の詳細な説明の理解を助けるためである。また、現在の各種技術を組み合わせることができる。本発明の目的および利点は、以下の詳細な説明および図面から当業者により明らかになるである。
【００４０】
当業者は、本発明の目的を達成するための他の構成を本出願に記載のコンセプトから容易に導き出すことができるであろう。この発明の精神および範囲から離れない均等な構成は本発明の記載に含まれる。なお、本明細書においては、光について、適宜「光エネルギ」、「エネルギ」と呼ぶ。
【図面の簡単な説明】
【００４１】
【図１】波長３６５ｎｍ以下における光学イメージングおよび明視野およびリング暗視野検査の方法を示す図である。
【図２】波長３６５ｎｍ以下におけるレーザ暗視野を用いた光学イメージングおよび検査の方法を示す図である。
【図３】単一のガラス材料を利用する折り返し０．７ＮＡカタディオプトリック対物系の例を示す図である。
【図４】マンジャンミラーに送出された光線およびマンジャンミラーから受光した光線のラテラル分離の効果を示す図である。
【図５】０．７ＮＡ、長いワーキングディスタンス、融解シリカのみを用いたを暗くないデザインの狭帯域収差修正を提供するデザインの態様を示す図である。
【図６】シリカおよびフッ化カルシウムを使用してシステムの帯域幅をさらに広げた折り返し０．７ＮＡカタディオプトリック対物系を有する本発明の態様を示す図である。
【図７】単一のガラス材料を用いたインラインまたはストレートの０．７ＮＡカタディオプトリック対物系を有する本発明の態様を示す図である。
【図８】フッ化カルシウムから構成されたレンズを用いて、波長１５７ｎｍにおいて最適な本発明の態様を示す図である。
【図９】２つのガラス材料を用いて修正バンド幅を１９３ｎｍから２０３ｎｍに拡大した補発明の態様を示す図である。
【図１０】バリフォーカル２モーションズームを用いたイメージ形成光学系の態様を示す図である。
【図１１】バリフォーカルズームを用いて３つの異なる倍率を可能とした図である。
【図１２】単一モーション光学的補償ズームを用いたイメージ形成光学系の態様を示す図である。
【図１３】光学的補償ズームを用いた３つの異なる倍率を可能とした例である。
【発明を実施するための形態】
【００４２】
図１に、本発明の第１の実施の形態を示し、第１の実施の形態は、明視野又はリング暗視野検査方法を含む。この方法は、フォトマスク又はウェーハ検査に特に適しており、透過照明源１０１又は反射照明源１０５などの照明光学系と、長作用距離のカタディオプトリック結像対物レンズ１０２と、像（イメージ）形成光学系１０３と、検出器１０４と、を含む。ウェーハ検査の場合、反射光照明のみが必要とされる。長作用距離のカタディオプトリック対物レンズ及び像形成光学系の設計が、３６５ｎｍ以下の波長におけるフォトマスクの検査を可能にする技術である。単一の材質及び２つの材質を使う、このフォトマスク検査方法をサポートする光学設計は、実施の形態３から１０として開示される。光学系及び検出器は全て、後に詳しく説明するように、照明の波長及びスペクトル帯域に対して、注意深く設計され、最適化される。
【００４３】
異なる照明源をこの設計で用いてもよく、また異なる照明源が、透過光照明１０１及び反射光照明１０５に組入れられてもよく、また、実施の形態３から１０の設計及び図３から図１３に関する設計と共に組入れられてもよい。これらの光源は、レーザ及びランプを含むが、これらに限定されるものではない。３６５ｎｍ以下の波長では、アルゴン（３６４ｎｍ、３５１ｎｍ、３３３ｎｍ、２７５ｎｍ）、周波数変換レーザ（３５１ｎｍ、２６６ｎｍ、２１３ｎｍ）、ヘリウムカドミウム（３２５ｎｍ）、塩化キセノンエキシマ（３０８ｎｍ）、フッ化クリプトンエキシマ（２４８ｎｍ）、フッ化アルゴンエキシマ（１９３ｎｍ）、フッ素（１５７ｎｍ）、及びアルゴンエキシマ（１２８ｎｍ）を含む、多くの異なるレーザが利用可能である。これに加え、異なる波長のレーザが、周波数混合技法を使い、可能である。水銀キセノン（３６５−２２０ｎｍ）、カドミウムランプ（２１０−２２０ｎｍ）、重水素（deturium）（１５０−１９０ｎｍ）や、様々なエキシマランプなどの、多くの異なるランプ源が利用可能である。これらの源は、非常に異なるスペクトル帯域を有する場合がある。例えば、狭くされていないエキシマレーザ、帯域フィルタを有するランプ、又は周波数変換レーザのそれぞれが、１ｎｍ帯域又はそれ以下の光を生成できる。濾波されていないランプ又は、アーク灯、エキシマランプ、又は重水素ランプなどの、より大きな帯域フィルタを有するランプもまた、１ｎｍより大きな帯域を有する、可能な源である。１９３ｎｍ及び１５７ｎｍの波長で利用可能な光源は、比較的少ない。これらの光源のうち、エキシマレーザが、高速フォトマスク検査をサポートするために必要な輝度を有する。
【００４４】
図１に示す実施の形態で使われる照明は、透過光源１０１で示すように透過光であってもよく、又は反射照明源１０５で示すように反射光であってもよく、又はその両方であってもよい。照明はまた、リング暗視野結像に必要なもののように、リング形式であってもよい。例えば、このリング照明は、リング形状の開口部を、照明システム内に位置する瞳平面（pupil plane）において、又はその近辺に配置することにより、得ることができる。この開口部は、瞳の光学軸近くの小さな照明角を妨げ、瞳の光学軸から離れる高い照明角を可能にする。このリングは好適には、カタディオプトリック対物レンズ又は像形成光学系の、同様のリングと一致されるべきであり、これにより、像においては、照明リングからの全ての光線が妨げられる。
【００４５】
反射照明源の場合、システムによってビームスプリッタ／反射装置１０６が用いられることに留意されたい。透過照明源１０１を使う透過照明の場合、フォトマスク１０７は、透過照明源１０１と対物レンズ１０２との間に配置される。
【００４６】
透過光のための照明システムは好適には、コンデンサ対物レンズを用いる。コンデンサ対物レンズの目的は、名目上、ウェーハ又はフォトマスク上の結像領域と同じ大きさの領域を照らすことである。コンデンサ対物レンズは、照明のためのみに使われるため、高い光学品質は必要とされない。このような対物レンズは、本発明によって提供されるカタディオプトリック対物レンズの性能を低減したものであってもよく、又は、単純に全屈折設計であってもよい。このような設計は、当業者には、本開示の提示により、達成可能である。反射光のための照明は、ビームスプリッタを使い、標準の顕微鏡と同様に実施される。
【００４７】
長作用距離の結像対物レンズ１０２は、図３から図１３に図示する、第３から第８の実施の形態で説明されるレンズ配列を含む。フォトマスク検査のために、これらの設計はいくつかの基本的な必要要件を満たすべきである。対物レンズ作用距離は、６ｍｍより大きく、これにより、鋼線を保護するペリクルと干渉しないようにする。対物レンズは好適にはまた、照明源の帯域における収差に対してうまく修正されているべきである。利用可能な照明源の多くは、標準の種類の、単一材質の全屈折対物レンズ設計から得られる１−２ｎｍの帯域よりも大きな帯域を有する。一例として、典型的に、１ｎｍ付近のスペクトル帯域を有する、狭くされていないエキシマレーザが挙げられる。第３から第８の実施の形態におけるカタディオプトリック設計は、この問題を取り扱う。
【００４８】
対物レンズはまた、比較的大きな視野に対して結像する能力を有するべきである。大きな視野及び高いデータ取得速度は、フォトマスクの検査を可能な限り速くするために最も重要なことである。
【００４９】
像形成光学系１０３は、照明源及びカタディオプトリック結像対物レンズのスペクトル帯域に対して修正される。像形成光学系１０３はまた、フォトマスク検査環境で必要とされる様々な拡大率が可能である。像形成光学系１０３及びカタディオプトリック対物レンズ１０２は、それぞれ及び一緒に、収差に対して完全に修正されていてもよい。このような収差の修正は、像形成光学系１０３及びカタディオプトリック対物レンズ１０２を別個の装置としてテストすることを可能にする。この代わりに、収差の修正は、カタディオプトリック対物レンズ１０２及び像形成光学系１０３に共有されてもよい。一般的には、共有収差修正のための光学設計は製作が簡易である場合があるが、像形成光学系及びカタディオプトリック対物レンズのテストは、より複雑である場合がある。
【００５０】
像形成光学系又はカタディオプトリック対物レンズはこの代わりに、リング暗視野結像で必要とされるように、瞳平面において又はその近辺で、リング開口部を含むこともできる。この開口部は、照明の同様の開口部に対応し、全ての直接的な照明光が検出器に届くことを妨げるべきである。よって、照明開口部は、透過リングであり、結像開口部は、対応する不透明リングである。
【００５１】
明視野結像及びリング暗視野結像の組合せもまた可能である。明視野及び暗視野は、一般的にこの分野で知られているように、別個の検出器上で組み合わされてもよく、又は同時に又は交互に、同一の検出器において組み合わされてもよい。明視野及び暗視野結像が同時に同一の検出器上で実行される場合、光エネルギの相対強度及び位相が、照明及び結像における適切な開口部によって訂正されてもよい。
【００５２】
検出器１０４は好適には、検査システムで使われる高いデータ速度が可能な高速検出器である。検出器１０４は、一点ダイオードタイプの検出器であってもよく、又はＣＣＤ又は時間遅延及び集積（ＴＤＩ）モードで動作中のＣＣＤなどの面タイプの検出器であってもよい。理想的にはこの検出器は、高い量子効率、低ノイズ、及び、良い変調転送関数（modulation transfer function）（ＭＴＦ）を有する。裏面が薄くされたＣＣＤセンサが特に、この目的に適している。
【００５３】
第２の実施の形態は、３６５ｎｍ以下におけるレーザ暗視野検査の方法であり、この実施の形態を図２に示す。図２に示す実施の形態は、特に、ウェーハ及びフォトマスク検査に適している。図２の装置は、レーザ照明素子２０１などの照明光学系と、長作用距離のカタディオプトリック結像対物レンズ２０２と、外部瞳平面におけるフーリエフィルタ又は開口部２０３と、像形成光学系２０４と、検出器２０５と、を含む。図２の構成において単一の材質を使うカタディオプトリック結像設計は好適には、１ｎｍ又はそれより低い帯域を有する照明源を使う。２つのガラス材料を使うカタディオプトリック結像装置は、１ｎｍよりも大きい帯域を有する照明源を使う場合に達成可能である。
【００５４】
このシステムに使うことのできる照明の種類は、明視野及びリング暗視野検査のための第１の実施の形態に使われるものと同様である。好適なエネルギ又は光源は、その方向性及び輝度から、レーザである。半導体検体のレーザ暗視野照明のための１つの方法又は装置は、対物レンズの外からの検体への直接的な照明である。このような構成では、検体から散乱した光のみが、カタディオプトリック対物レンズによって収集される。鏡のように反射したビームは、対物レンズの数値開口部を超えているため、収集されない。
【００５５】
前に述べられたように、長作用距離結像対物レンズ２０２は、図３から図１３について、第３から第８の実施の形態において説明される。レーザ暗視野検査のために、これらの設計は、いくつかの基本的な必要要件を満たす。図３から図１３の設計によって提供される長作用距離は、結像システムの動作と干渉することなく、半導体検体環境における対物レンズ外からのレーザエネルギのウェーハへの伝達を単純化する。対物レンズは好適にはまた、照明源２０１の帯域上の収差に対してよく修正されている。利用可能な照明源の多くが、標準の種類の、単一材料の全屈折対物レンズ設計から得られる、１−２ｎｍの帯域より大きい帯域を有する。この一例として、典型的に１ｎｍ付近のスペクトル帯域を有する、狭くされていないエキシマレーザが挙げられる。第３から第８の実施の形態のカタディオプトリック設計は、この問題を取り扱う。大きな視野及び高いデータ取得速度は、迅速なウェーハ又はフォトマスク検査を可能にするため、対物レンズ２０２は、大きな視野に対して結像する。
【００５６】
対物レンズは好適にはまた、簡易にアクセス可能な瞳平面を有し、これにより、フーリエフィルタ又は開口部２０３によるものなどのフーリエ濾波又は開口をサポートする。フーリエ濾波は、ウェーハ上の反復パターンに起因するノイズを低減でき、これにより、より小さなランダムの欠陥を、よりたやすく検出することを可能にする。
【００５７】
像形成光学系２０４は好適には、照明及びカタディオプトリック結像対物レンズ２０２のスペクトル帯域に対して修正されている。像形成光学系２０４は好適にはまた、暗視野検査システムによって必要とされる様々な拡大率をサポートする。像形成光学系２０４の１つの実現方法は、像形成光学系２０４とカタディオプトリック対物レンズ２０２とをそれぞれ収差に対して完全に修正することである。このようなシステムは、別個の装置としての像形成光学系２０４及びカタディオプトリック対物レンズ２０２の簡略化されたテストを可能にする。代替技法として、カタディオプトリック対物レンズ２０２と像形成光学系２０４との間での共有収差修正が挙げられる。このような方法は、機械的又は光学的により簡略である場合があるが、像形成光学系及びカタディオプトリック対物レンズのテストを複雑化する場合がある。
【００５８】
前に述べた、図１に示す第１の実施の形態と同様に、図２の検出器２０５は好適には、検査システムで使われる高いデータ速度が可能な高速検出器である。検出器２０５は、一点ダイオードタイプの検出器であってもよく、又はＣＣＤ又はＴＤＩモードで動作中のＣＣＤなどの面タイプの検出器であってもよい。理想的にはこの検出器は、高い量子効率、低ノイズ、及び良いＭＴＦを有する。このような検出器は、当業者には一般的に知られている。
【００５９】
図１及び図２の設計は、明視野、レーザ方向暗視野、リング暗視野、及び同時明視野及び暗視野構成をサポートでき、これらの構成の各々は、ＵＶ波長、ＤＵＶ波長、ＶＵＶ波長の存在下で達成できる。深ＵＶ及びＶＵＶ領域内のＣＭＰ層の不透明度により、この対物レンズを使うシステムが、半導体ウェーハの表面欠陥及び微小な傷を見つけるために最適となる。
【００６０】
明視野及び暗視野結像及び検査をサポートするために提示されるカタディオプトリック光学装置はまた、様々な他の応用法に使うためにも理想的である。設計は、当業者によって、可視領域から、深ＵＶ領域及び真空ＵＶ領域までの波長に対して、容易に最適化できる。より長い波長は、ガラス分散が少ないため、より大きな帯域に対して最適化できる。例えば、１４０ｎｍよりも大きい帯域が、２つの材料設計及び３００ｎｍの中心波長において可能である。光エネルギは、より短い波長を含んでいてもよく、設計は、複数の波長の使用を許す。半導体検査のためには、開示される設計は、明視野、レーザ方向暗視野、リング暗視野、及び同時明視野及び暗視野構成をサポートできる。開示される光学設計はまた、サンプルクリアランス（sample clearance）のために長い作用距離が必要とされる、リソグラフィレンズとして又はリソグラフィシミュレーションにおいて、又は、微小電子機器開発用の研究ツールとして、又は蛍光測定として、又は生物学においての使用に最適である。非常に多様な光波長及びスペクトル帯域の存在下での応用法を提供できる、この対物レンズの能力のため、図１及び図２の設計は、蛍光測定に適している。
【００６１】
図３に、本発明の第３の実施の形態を示す。この第３の実施の形態は、単一ガラス材料を用いる、折り返しの０．７ＮＡのカタディオプトリック対物レンズ３００の簡単な例である。この例は、収差修正及び対物レンズの機能を説明するためにここに示される。本開示に示される他の図面と同様に、図３は、左上端に、ミリメートルの単位で、関連する線の大きさの基準測定値を示す線を含む。
【００６２】
また、本開示で示される他の図面と同様に、エネルギ源３０００（図示せず）からの光は、図３の左側から入光するように図示される。
【００６３】
エネルギ源３０００からのエネルギは、望遠写真構成又は逆望遠写真構成に配置された、正のレンズ及び負のレンズのグループ３０１によって集光される。正のレンズは、配列の前段にあっても、後段にあってもよく、ここで、前段及び後段は、エネルギ源に対する相対的な用語である。ここでは、負のレンズ３０２が、正のレンズ３０３の前段にあり、負のレンズ３０２及び正のレンズ３０３が、正のレンズ及び負のレンズのグループ３０１を形成する。正の視野レンズ３０４が、レンズグループ３０１の焦点よりもいくらか前に位置する。形成される小さな像の近くには、Ｖ形状に配置された比較的小さな一対の平坦折り返しミラー３０５が配置される。第１の小さな平坦ミラー３０５ａは、光を光学軸に対して９０度に反射する。本発明の範囲から逸脱することなく、所望の応用法によって、なんらかの他の角度量を使ってもよい。
【００６４】
発散光は次に、図３の底部に位置するマンジャンミラー３０６に進む。マンジャンミラーは、屈折性があり、反射性の背面を有するレンズ／ミラー素子である。マンジャンミラー３０６は、第１像を、第２の小さな平坦折り返しミラー３０５ｂ上に、実質上単位拡大率で、再結像する。システムは、十分に軸から外れて実現され、これにより、戻る第２像は、第１像から横方向に十分に離れ、該横方向での分離距離が各別個の像の光学操作を可能にする。横方向の分離量によって、第２の小さな平坦ミラー３０５ｂによる、元の光学軸への光路の折り返しが可能になる。この効果を、図４に示す。
【００６５】
図４によれば、実質上単位拡大率のマンジャンミラーリレーの視野内の入力光線は、視野の片側にあり、出力光線が反対側にある。図３から、第２の小さな折り返しミラー３０５ｂには、第２の視野レンズ３０７が続く。そこから、光は、下に説明する最終集光レンズ３０８まで進む。この最終集光レンズグループ３０８は、フォトマスク又は半導体ウェーハなどの検体の表面への、比較的長い作用距離を提供する。
【００６６】
２つの視野レンズが図３の設計に存在しない場合、この設計は、マンジャンミラーを使うシャップマン（Schupmann）タイプの設計の応用を含む。従来の既知のシステムにおいて示されるように、マンジャンミラーは、シャップマンシステムの仮想像を実際の像に変換する手段を提供する。この新しい構成は、従来の設計に対して２つの重要な利点を提供する。掩蔽（暗くならない：ｏｂｓｃｕｒａｔｉｏｎ）が存在しないことと、相対的に長い作用距離である。両方の利点が、小さな折り返しミラー３０５の新しい配列、実質上単位拡大率のマンジャンミラー３０６、及びシステム内の２つの中間像の存在の結果である。
【００６７】
小さな折り返しミラー３０５は、様々な方法で実現できる。対物レンズ設計は、これらの折り返しミラーが、視野レンズの、内部像の反対側になるよう、最適化できる。対物レンズ設計はまた、小さな折り返しミラーが、マンジャンミラーに最も近い内部像側にあるように、最適化することもできる。また、プリズム又は複数のプリズムを、反射性表面に使うこともできる。２つのプリズムを反射性ミラーとして使うことができるように、反射性被覆を１つ又はそれ以上のプリズム表面に追加することもできる。この代わりに、１つのプリズムの２つの表面を被覆し、プリズムを反射性表面の両方として機能させることもできる。これは、光学軸の角度を定義するために、プリズム上で高精度の角度を磨く（polish）ことができるため、有利である。プリズムはまた、全反射モードで使用することもできる。これは、短い波長のため、又は広いスペクトル帯域のためなど、高効率の光学被覆が難しい場合に有利である。このモードでは、９０度に近いプリズムの斜辺が、全反射で使われ、反射性表面を置換する。入射ビーム及び反射ビームとほぼ垂直なプリズムの表面は、透過効率を向上するため、反射防止コーティングをされてもよい。
【００６８】
設計が２つの視野レンズを有する２つの位置のどちらかに、１つの視野レンズをシステムに追加することにより、軸等和色（secondary axial color）又は横原色（primary lateral color）のいずれかに対して、設計を修正する能力が提供される。軸原色は、シュンプマン（Schumpmann）原理に関連するものと同様に、マンジャンミラー素子３０６の正の屈折力とレンズの正の力とのバランスを取ることにより、視野レンズなしに修正される。２つの視野レンズ３０４及び３０７を、中間像近辺で使用することにより、軸等和色及び横原色の両方の修正を可能にする。この結果として、よい軸色修正を有する、かなり広いスペクトル領域を備えるが、軸等和色によって制限される設計が生じる。横等和色の修正は、システムの第１の半分とシステムの第２の半分との等和色のバランスを取ることにより達成できる。ここで、システムの第１の半分は入射エネルギ源からマンジャンミラー３０６の反射性部分までの全てのレンズを含み、レンズグループ３０１と、視野レンズ３０４と、第１の小さな折り返しミラー３０５ａと、マンジャンミラー３０６と、を含む。この横等和色のバランスを取る方法は、図４のように生成される２つの中間像及び２つの別個の視野レンズ３０４及び３０７がシステム内に存在することにより、うまく機能する。既知のシステム同様に、第３軸色は、視野レンズ３０４及び３０７を、中間像の片側に、相当の距離移動させることにより、向上される。
【００６９】
開示される本発明は、色収差を修正するための、特に説明されたミラー配列と関連する単一の屈折材料を必要とするカタディオプトリックシステムである。１９３ｎｍ近辺のエネルギ源波長の存在下での使用を目的とする設計では、好適なレンズ材料はシリカである。１５７ｎｍ近辺の波長での使用を目的とする同様の設計では、好適なレンズ材料はＣａＦ２である。１５７ｎｍの波長では、例えば、ＣａＦ２には、複屈折、水溶性、又は機械的な軟らかさにおいて深刻な問題が存在しないため、ＣａＦ２が好適である。更なる色修正もまた、２つのガラス材料を使うことにより達成できるが、このような配列は、追加の費用を必要とする場合があり、また、複屈折、水溶性、又は機械的な軟らかさにおける欠点を有する場合がある。
【００７０】
１種類のガラスのみが使われ、様々な色収差を修正する場合には、特殊な問題が存在する。従来の設計は通常、２種類又は３種類のガラスを使い色収差を修正する。本発明は、特定のレンズ及びミラー構成によって、全てのレンズで使われる単一種類の材料の存在下で、この修正を実行する。非常に深いＵＶでは、シリカ及びＣａＦ２の両方が高度に分散的であり、非常に短い波長での狭いスペクトル帯域でさえも、多くの独特な色収差の修正を必要とする場合がある。このような色収差は、軸原色及び軸等和色、横原色及び横等和色、球形収差（spherical aberration）の色偏差、及びコマの色偏差を含んでもよい。本発明においては、レンズ及びミラーの位置が、軸原色及び横原色の完全な修正を可能にする。軸等和色及び横等和色は、完全には修正できないが、比較的狭いスペクトル帯域において、十分に小さく保ち、許容範囲内とすることができる。球形収差及びコマの色偏差はまた、この小さな折り返しミラー及び二重視野レンズ設計を使い修正できる。図３の設計に存在する正の軸色寄与分（contribution）と負の軸色寄与分との物理的な分離距離、特に、設計内の、位置的に本質的に異なる位置への分離距離が、収差の色偏差を修正するために特殊な問題を生じる。色収差偏差の最小化は、図３に示されるものや、下に第４から第８の実施の形態に関して示されるもののように、レンズの力及び形状の、非常に特化した配列を必要とする。
【００７１】
図３の設計は、光学システムと検査される表面との間、特にシステム内の最終レンズ３０８と結像される対象物又は検体（図示せず）の表面との間に、長い作用距離を有する光学システムを提供する。図３の配列は更に、高い数値開口を有し、また、中心の掩蔽が存在しない。高い数値開口は、結像される表面の上の角度範囲が可能な限り大きい、高解像度結像及び収集を可能にする。０．８よりも大きい数値開口が、優良な性能と共に達成できる。０．８の数値開口は、表面の上で、法線から５３度の角度まで収集することに対応する。
【００７２】
更に、多くのカタディオプトリック光学システムと違い、図３の設計には、低周波数情報を妨げる中心掩蔽が存在しない。図３の設計には、この問題が存在せず、全ての低周波数情報の利用を可能とする。
【００７３】
図３に示す設計はまた、比較的妥当な許容差を提供し、より簡易に製造できる。図３の設計における妥当な許容差の長所は、この設計が、いくつかの光学素子に対して非常に厳しい位置及び厚さ許容差を有する、多くの既知の高ＮＡ、広帯域システムに存在する問題点を克服することである。これらの厳しい許容差は、従来の設計を、生産環境で作り動作させるために、非常に高価、又は、場合によっては、不可能としてしまう場合がある。
【００７４】
図５に、融解石英のみを使い、０．７ＮＡ、長作用距離、及び掩蔽されない設計を与える、追加の狭帯域収差修正を提供する、複雑化した形の設計を示す。対象物は、軸から０．２５ｍｍから０．７５ｍｍ外れて伸び、設計は、１９２．８ｎｍから１９３．８ｎｍの１ｎｍの帯域を有する。この種類の設計例の表面データを表１に示す。図５に示すシステムの性能は、高次軸色ではなく、色の収差の偏差のみによって制限される。他の形も可能であり、この場合には、本開示の提示により、当業者にとっては最小限の努力を必要とする。
【００７５】
図５に示すように、レーザエネルギなどのエネルギは、エネルギ源５０００（図示せず）から対物レンズ５００へと発せられる。対物レンズ５００は、レンズ配列５３０を含み、このレンズ配列５３０は、第１レンズ５０１及び第２レンズ５０２を有する第１レンズペア５３１と、これに続く、第３レンズ５０３と、第４レンズ５０４と、第５レンズ５０５と、を備える。エネルギは、レンズ配列５３０によって、視野レンズ５０６に向かって集められ、この視野レンズ５０６は次に、エネルギを小さな折り返しミラー又は反射表面、ここでは具体的には第１ミラー５０７に向ける。エネルギは、第１ミラー５０７からレンズ５０８及びマンジャンミラー５０９へと向けられ、マンジャンミラー５０９は、光エネルギを反射しレンズ５０８を通じて、小さな折り返しミラー又は反射表面の第２の部分、具体的には第２ミラー５１０に向けて戻す。
【００７６】
図５において、光は、第２折り返しミラー５１０から視野レンズ５３３へと反射され、ここで視野レンズ５３３は、第１視野レンズ５１１と第２視野レンズ５１２とを備える。視野レンズ５３３から、光は、集光レンズ配列５３４へと送られ、この集光レンズ配列５３４は、第１集光レンズ５１３と、第２集光レンズ５１４と、第３集光レンズ５１５と、第４集光レンズ５１６と、第５集光レンズ５１７と、第６集光レンズ５１８と、第７集光レンズ５１９と、を含む。検査される検体又は表面５２０は、図５に図示していないが、図５の向きにおいて、対物レンズ５００の右側に位置する。光エネルギは、検体に当たり、図５の対物レンズ５００を通じて反射し、戻される。この代わりに、光エネルギは、検体を通じて透過し、図５に示すように右から左へと対物レンズ５００を通って透過してもよい。
【００７７】
【表１】
0006041461.tif 000002
＊表面の厚さは、表面が素子の「上流」側にある場合には表面の厚さを表し、表面が素子の「下流」側にある場合には、表面と次の表面との間の距離を表す。例えば、素子５０１の表面２は、８１．９８３ミリメートルの半径を有し、レンズは５．０００ミリメートルの厚さである。レンズ素子５０１の表面３は、１８．３０５ミリメートルの半径を有し、次の表面である素子５０２の表面４から４．２１６ミリメートルの距離にある。
＊＊設計に関連するが重要でないいくつかの素子は、図面には図示されていない。
【００７８】
図６は、本発明の第４の実施形態を示す図である。図６は、２つの材料を用いて構成される、0.7NAの折り返し（folded）カタディオプトリック対物系を示す。この構成では、シリカとフッ化カルシウムとがシステムの帯域をさらに増強するために用いられている。フッ化カルシウムは、この構成では、視野レンズに加えられ、これら両レンズを色消し（achromats）にする。図６の構成は、１９３から２２５nmの光エネルギーに適正化されている。第４の実施形態のシステムにおけるサーフェスデータは、表２に示される。
【００７９】
図６に示すように、光エネルギーやレーザエネルギーは、エネルギー源６０００（図示せず）から伝播して対物系６００に届けられる。対物系６００は、レンズ群６３０を含み、このレンズ群は第１レンズ６０１と、第２レンズ６０２と、第３レンズ６０３と、第４レンズ６０４と、第５レンズ６０５と、第６レンズ６０６とを含んでなる。エネルギーはレンズ群６３０によって視野レンズ群６３１にフォーカスされ、この視野レンズ群は、第７レンズ６０７と第８レンズ６０８と、第９レンズ６０９と、第１０レンズ６１０とを含んでなる。第８レンズ６０８と、第１０レンズ６１０とは、フッ化カルシウム（CaF2）で形成されている。この視野レンズ群６３１は、光エネルギーを第１の小型折り返し（folding）ミラー又は反射面６１１に照射させ、この小型折り返しミラー反射面は、レンズ６１２とマンジャン（Mangin）ミラー６１３とにエネルギーを照射させる。光エネルギーは、マンジャンミラー６１３によって反射されてレンズ６１２に戻され、小型折り返しミラー又は反射面の第２の部分、特に第２ミラー６１４へ導かれる。
【００８０】
光は、第２の折り返しミラー６１４で反射されて、第２の視野レンズ群６３２に至り、この第２の視野レンズ群は第１視野レンズ６１５と第２視野レンズ６１６と第３視野レンズ６１７とを含んでなる。第１視野レンズ６１５及び第３視野レンズ６１７は双方とも、フッ化カルシウムで形成される。視野レンズ群６３２から、光エネルギーがフォーカシングレンズ群６３３に伝播し、このフォーカシングレンズ群は第１フォーカシングレンズ６１８と、第２フォーカシングレンズ６１９と、第３フォーカシングレンズ６２１と、第４フォーカシングレンズ６２２と、第５フォーカシングレンズ６２３とを含む。対象標本（specimen）又は表面６２４が検査され、これらを図６には図示しないが、図６の対物系６００の右側に配置される。
【００８１】
【表２】
0006041461.tif 000003
【００８２】
帯域幅を増大させるため、第２のガラス材料の代りに回折性のある光学系を用いることもできる。この場合、当該回折性のある光学系は、適切な回折能力と回折角度とを備えるべく、特定の位相プロファイルをもって製造されなければならない。かかる構成は、ここでの開示を一旦参照すれば、当業者が実施できる。
【００８３】
図５及び６に示した実施形態は２つのディスアドバンテージを有する。一つは、マンジャンミラーイメージリレーの光軸が、フォーカシングレンズの光軸に対して９０度ずれていることである。この構成は、マンジャンミラーイメージリレーの光学要素に対して、角度及び位置に関する非常に高度な寛容性を要求する。これは製造の困難性やシステムコストの増大という結果をもたらし得る。この理由のため、当該９０度ずれたパス（90 degree path）のレンズ要素の数を最小限に抑えることが望ましい。従って、９０度ずれた光学軸は、この対物系の構成を制限し得る。第２に、絞り（aperturing）や、フーリエフィルタリングのための瞳面（pupil plane）が対物系の内部のコリメートされていない領域に配置される。これは、絞りやフィルタを導入する際に問題となる。さらに、瞳面がコリメートされていない領域にあるため、検査対象物のフーリエ面にないこととなる。これはフーリエフィルタの効率を著しく低減する。
【００８４】
図７に示される、第５の実施形態は、マンジャンミラーイメージリレーと内部瞳面に関する、この９０度曲げの問題を解決する。図７は、１つのガラス素材を用いたインライン又はストレート０，７ＮＡカタディオプトリック対物系を示している。図７の構成はまた、構成の自由度と製造上の寛容性を緩和する。例えば、どれかのレンズが５ミクロンだけ中心からずれれば、なんら補償のための要素っを持たない場合、四分の一より小さいコマ（coma）の波を生じてしまう。偏心（decenter）又は傾斜（tilt）した要素を補償要素として用いれば、寛容性はより緩和される。図７の構成では、第２の内部像の後に、多少のレンズによる１つのベンド（bend）を含む。これらのレンズは、寛容性を著しく緩和させ、システムの製造可能性に影響を与えない傾向にある。図７の構成はさらに、外部の瞳面７０１が、絞りやフーリエフィルタリングのために配置されている。この瞳面は、コリメートされた領域にあり、そのため、対象物のフーリエ面に対応する。図７においては、対象物は0.25mmから、0,75mmだけ軸から離され、構成は、192.8〜193.8nmに対し、１nmの帯域幅を有する。
【００８５】
図７に示されているように、光エネルギー又はレーザエネルギーは、エネルギー源７０００（図示せず）から対物系７００に伝播される。対物系７００は、第１レンズ７０２と、第１視野レンズ７０３とを含む。この第１視野レンズ８０３は、光エネルギーを小型折り返しミラー又は反射面７０４に向けさせ、この小型折り返しミラー又は反射面は、エネルギーをフォーカシングレンズ７０５と７０６と、マンジャンミラー７０７とに向けさせる。マンジャンミラー７０７で反射され、戻ってきた光エネルギーは、フォーカシングレンズ７０６、７０５を透過し、先の小型折り返しミラー又は反射面７０４に導かれる。光エネルギーはそして第２視野レンズ７０８とフォーカシングレンズ群７２０を透過し、このフォーカシングレンズ群は第１フォーカシングレンズ７０９と、第２フォーカシングレンズ７１０と、第３フォーカシングレンズ７１１と、第４フォーカシングレンズ７１２と、第５フォーカシングレンズ７１３と、第６フォーカシングレンズ７１４と、第７フォーカシングレンズ７１６とを含む。対象標本（specimen）又は表面７１６が検査され、これらを図７には図示しないが、図７の対物系７００の右側に配置される。光エネルギーは対象標本７１７に当たって反射されて図７の対物系に戻る。図７の構成で採用されるシステムに対するサーフェスデータは表３にリストされる。
【００８６】
暗視野構成（darkfied arrangement）では、光エネルギーは、図２に示したような対象標本面に向けられる。光エネルギーは、対物系に向けて散乱され、つまり図７の構成の第７フォーカシングレンズ７１５に向かう。このような構成では、光エネルギーはシステムに戻って通過し、マンジャンミラー７０７にあたり、第１レンズ７０２を透過する。
【００８７】
図７の構成は、外部瞳面７０１を有して、絞りやフーリエフィルタリングをサポートする。絞りは、図７の構成との関係で用いることができ、イメージングシステムにおける種々の絞りのコントロールを可能にする。例えば、ある絞りがオプションとして瞳面の位置に配置され、これにより全体的な解像度と、フォーカスの深度との制御を可能にする。フーリエフィルタリングは特に、レーザ暗視野イメージング等のアプリケーションで役に立つ。フーリエフィルタリングは、面上の欠陥（defect）についての信号対ノイズ比の増大により、反復するサーフェスパターンのフィルタリングを可能にする。
【００８８】
【表３】
0006041461.tif 000004
【００８９】
図８に示す第６の実施形態は、図７に示した第５の実施形態に類似するが、157nmの波長に最適化されている。この波長の変更は、溶融（fused）シリカの代りにフッ化カルシウムを使用するよう材料の変更を要求する。193nmでの溶融シリカの屈折率（index）は、157nmでのフッ化カルシウムの屈折率（index）にほとんど同一であり、そのため、構成は、材料以外の大きな変更を要しない。しかしながら、157nmでのフッ化カルシウムの分散（dispersion）は、193nmでの溶融シリカの分散よりも大きく、構成のさらなる最適化のための若干の変更を要求される。図８に示した構成は、マンジャンミラーをフロントサーフェスミラーとメニスカスレンズとに分割するオプションを可能にし、これは、いくつかの場合に製造を簡易にする。この分割マンジャンミラーを用いる方法は、他の、図３〜図９に示すカタディオプトリック対物系の構成においても同様に採用できる。対象物は、軸から0.25mmから0.75mmだけ離され、この構成は、156.75〜157.25nmから0.5nmの帯域幅を有する。
【００９０】
図８に示すように、光エネルギーは、エネルギー源８０００（図示せず）から対物系８００に伝播される。この対物系８００は、図７に示した構成と同様に、外部に瞳面８０１を有する。対物系８００は、第１レンズ８０２と第１視野レンズ８０３とを含む。この第１視野レンズ８０３は、光エネルギーを小型折り返しミラー又は反射面８０４に向け、この小型折り返しミラー又は反射面は、エネルギーをフォーカシングレンズ８０５，８０６及び８０７と、ミラー面８０８とに向ける。光エネルギーは、ミラー面８０８で反射して戻され、フォーカシングレンズ８０７，８０６及び８０５を透過し、先の小型折り返しミラー又は反射面８０４に戻る。光エネルギーは、そして、視野レンズ群８２０を透過し、この視野レンズ群は、第１視野レンズ８０９と第２視野レンズ８１０と第３視野レンズ８１１とを含む。光はそしてフォーカシングレンズ群８２１を透過し、このフォーカシングレンズ群は、第１フォーカシングレンズ８１２と、第２フォーカシングレンズ８１３と、第３フォーカシングレンズ８１４と、第４フォーカシングレンズ８１５と、第５フォーカシングレンズ８１６とを含む。対象標本（specimen）又は表面８１７が検査され、これらを図８には図示しないが、図８の対物系８００の右側に配置される。光エネルギーは対象標本８１７に当たって反射されて図８の対物系に戻る。対象標本８１７からの光は、すでに図７の第５の実施形態で説明したように、瞳面８０１にて絞られ、又はフーリエフィルタリングされてもよい。図８の対物系を有するシステムに対するサーフェスデータは表４にリストされる。
【００９１】
【表４】
0006041461.tif 000005
【００９２】
図９に示される第７の実施形態は、図７及び８に示された、第５及び第６の実施形態に類似する。図９に示したこの構成は、ストレート0.7NAカタディオプトリック・アプローチであり、さらなる構成上のフレキシビリティを許容し、パフォーマンスを向上させ、製造上の寛容性を緩和する。さらに、図６の構成に似て、第２のガラス材料、フッ化カルシウムが帯域幅補正の向上のために用いられている。図９の構成は、193から203nmに適している。図９の構成は、アイピース群に１つのフッ化カルシウム要素をもち、中間イメージ（intermediate image）近傍に１つ、フッ化カルシウム／シリカの二重レンズ系（ダブレット）を有する。対象物は、軸から0.25mmから0.75mmだけ離れ、この構成は、193.3から203.3nmの帯域幅を有する。
【００９３】
図９に示すように、光エネルギー又はレーザエネルギーがエネルギー源９０００（図示せず）から対物系９００に伝播する。図７及び図８に示した対物系の実施形態のように、外部の瞳面９０１が絞りやフーリエフィルタリングのために利用できる。対物系９００は、第１レンズ９０２と、第１視野レンズ群９３０とを有し、第１視野レンズ群は、第１視野レンズ９０３と、第２視野レンズ９０４とを含む。この第１視野レンズ群９３０は、光エネルギーを小型折り返しミラー又は反射面９０５に向け、この小型折り返しミラー又は反射面は、エネルギーをフォーカシングレンズ９０６及び９０７と、マンジャンミラー９０８とに向ける。光エネルギーは、マンジャンミラー９０８で反射されて戻り、フォーカシングレンズ９０７及び９０６を透過して戻り、先の小型折り返しミラー又は反射面９０５に導かれる。光エネルギーはそして第２視野レンズ群９３１を透過し、この第２視野レンズ群９３１は、第３視野レンズ９０９と第４視野レンズ９１０と、第５視野レンズ９１１とを含む。光はそして、フォーカシングレンズ群９３２と透過し、このフォーカシングレンズ群は、第１フォーカシングレンズ９１２と、第２フォーカシングレンズ９１３と、第３フォーカシングレンズ９１４と、第４フォーカシングレンズ９１５と、第５フォーカシングレンズ９１６と、第６フォーカシングレンズ９１７と、第７フォーカシングレンズ９１８とを含む。対象標本（specimen）又は表面９１９が検査され、これらを図９には図示しないが、図９の対物系９００の右側に配置される。光エネルギーは対象標本９１７にあたって反射され、図９の対物系９００に戻る。
【００９４】
図９の構成のサーフェスデータを表５にリストする。
【００９５】
【表５】
0006041461.tif 000006
【００９６】
イメージングシステムの全体、例えば実施形態１から２と図１から２で説明されたものは、例えば実施形態３から６と図３から９で説明されたような対物系を必要とする。イメージ形成のための光学系は、異なる構成とすることができる。イメージ形成光学系は、単一の（single）倍率を作り出す能力を有しているスタティック・チューブレンズとすることもできる。スタティック・チューブレンズの構成では、異なる倍率は、異なるチューブレンズを用いることによって得られ、そのようなチューブレンズは当業者ならば容易に構成できる。別のイメージ形成光学系の構成は、ズーミング・チューブレンズである。ズーミング・チューブレンズは、幅広い倍率を得るのに１つの光学系だけしか要しない。２つの異なるズーミング・チューブレンズを用いた例が、以下に第７及び第８の実施形態として示される。イメージ形成光学系は、光源の波長とスペクトル帯域幅に適正化されていなければならない。
【００９７】
図１０に示される第７の実施形態は、複数焦点（varifocal）の２つのモーションズームを有して、倍率を変更するイメージ形成チューブレンズである。その構成方法は、「広いレンジのズーム機能を備えた超広帯域ＵＶ顕微鏡イメージングシステム（Ultra-Broadband UV Microscope Imaging System with Wide Range Zoom Capability）」と題された米国特許出願08/908,247であって、本発明が、その一部継続出願となっているものに類している。構成は、ステーショナリー二重レンズ（ダブレット）１０２０と、ズーミング群１０２１と、検出グループ１０２２とを有する。ステーショナリー二重レンズは、第１ダブレットレンズ１００２と、第２ダブレットレンズ１００３とを含む。ズーミング群は、第１ズームレンズ１００４と、第２ズームレンズ１００５と、第３ズームレンズ１００６とを含む。検出部１０２２は、保護ウインドウ１００７と検出器１００８とを含む。倍率の変更は、ズーミング群を光軸に沿って移動し、保護ウインドウで再度フォーカス（refocus）するとともに検出器の位置を調整することで達成される。３つの倍率の例が図１１に示される。低倍率のズーム位置１１０１は、トータルの長さが最も短く、ズーミング群１１２１は二重レンズ１１２０から離されたものとなる。中間的倍率１１０２では、二重レンズ１１２０から検出部１１２２までのトータルの長さが長くなり、二重レンズ１１２０からズーム群１１２１までの距離は短くなる。高倍率１１０３では、二重レンズ１１２０から検出部１１２２までの距離は最大となり、二重レンズ１１２０からズーム群１１２１までの距離は最小となる。３８倍から１５２倍までのレンジの倍流を越えて、システムにおける二重レンズ１０２０から検出器１００８までのトータルの長さは、３２０mmから８８０mmまで変化する。３つのレンズがズーミンググループ１０２１内で動き、その動きは全体で６８mmである。図１２の構成の瞳（pupil）１２０１は、図７に示した構成に一致する。当業者ならば、この開示を受けて、類似のチューブレンズを用いて図３から９の対物系の構成とともに他の構成を、本発明の範囲内で容易に構成できるであろう。また、当業者ならば、この開示により、他の倍率や他の倍率レンジを、複数焦点を有する２つのモーションズームにより構成することもできる。
【００９８】
図１０の構成についてのサーフェスデータは、表６にリストされる。
【００９９】
【表６】
0006041461.tif 000007
【０１００】
図１２に示される第８の実施形態は、倍率変更のために光学的に補償された単一モーションズームを用いたイメージ形成チューブレンズである。この構成方法は、デビッド・Ｒ・シェーファーによる論文、「可動要素を１つ用いるカタディオプティック光学的補償ズーミングシステム（Catadioptic optically compensated zooming system with one moving element）」，Proc SPIE Vol.2539, pp.235-240に開示されたものと似ている。構成は、第１二重レンズ１２２０と、ズーミング群１２２１と、ミラー１２０６と、第２二重レンズ１２２２と、検出器１２１０とを含む。第１二重レンズは、二重レンズ１２０２とそれに続く二重レンズ１２０３とを含む。ズーミング群は、第１ズームレンズ１２０４と、第２ズームレンズ１２０５とを含む。倍率変更は、ズーミング群１２２１を第１二重レンズ１２２０とズーミング群１２２１とミラー１２０６との光軸に沿って移動することで達成される。その他の動きは必要ない。
【０１０１】
２つの倍率の例が、図１３に示される。低倍率ズーム位置１３０１では、ズーム群１３２１が第１二重レンズ１３２０にとても近い位置になる。中間的倍率１３０２では、ズーム群は第１に重レンズ１３２０と、ミラー１３０４との中央（in between）になる。高倍率１３０３では、ズーム群１３２１は、ミラー１３０４に比較的近い位置にくる。この構成では、倍率は、６０倍から１８０倍以上となる。
【０１０２】
図１２の構成の瞳１２０１は、図７により示した構成のものと一致する。図１２の構成に対するサーフェスデータは、表７にリストされるものとなる。
【０１０３】
【表７】
0006041461.tif 000008
【０１０４】
ここでは、特定の実施形態に関連づけて本発明を説明したが、さらなる変形例が本発明から得られることは理解されるであろう。この出願は、本発明のあらゆる変形例、利用、適用をカバーし、一般に、発明の原理（principles）及びここでの開示を出発点として、知られたカスタマイズ慣行の範囲でこの発明の技術分野にて到達できる部分も含むよう、意図されている。
【図１】
0006041461.tif 000009
【図２】
0006041461.tif 000010
【図３】
0006041461.tif 000011
【図４】
0006041461.tif 000012
【図５】
0006041461.tif 000013
【図６】
0006041461.tif 000014
【図７】
0006041461.tif 000015
【図８】
0006041461.tif 000016
【図９】
0006041461.tif 000017
【図１０】
0006041461.tif 000018
【図１１】
0006041461.tif 000019
【図１２】
0006041461.tif 000020
【図１３】
0006041461.tif 000021